(57)【特許請求の範囲】
【請求項１】
画像を撮影する撮影部と、
撮影した画像を記憶する記憶部と、を備える撮影装置であって、
該撮影装置に加わる加速度を検知する加速度検知部と、
前記加速度を検知した場合に前記記憶部に記憶された前記画像を外部に送信する送信部とを備え、
前記画像を外部に送信した後に、前記記憶部から前記画像を消去すること、
を特徴とする撮影装置。
【請求項２】
請求項１に記載の撮影装置であって、
前記画像を送信した後に、撮影者の救助を求める救助信号を発信することを特徴とする撮影装置。
【請求項３】
請求項２に記載の撮影装置であって、
前記画像を送信した後に、所定の解除信号を受信しない限り、前記救助信号を発信することを特徴とする撮影装置。
【請求項４】
画像を撮影する撮影部と、
撮影した画像を記憶する記憶部と、を備える撮影装置であって、
該撮影装置に加わる加速度を検知する加速度検知部と、
前記加速度を検知した場合に前記記憶部に記憶された前記画像を外部に送信する送信部とを備え、
前記画像を送信した後に、所定の解除信号を受信しない限り、撮影者の救助を求める救助信号を発信すること、
を特徴とする撮影装置。
【請求項５】
請求項１〜４のいずれか１項に記載の撮影装置であって、
前記送信部は、前記加速度が、所定の閾値を所定時間又は所定回数超えた場合に前記画像を送信することを特徴とする撮影装置。
【請求項６】
請求項１〜４のいずれか１項に記載の撮影装置と、
該撮影装置から送信される画像を受信可能な携帯端末と、を備えることを特徴とする通信システム。
【請求項７】
請求項１〜４のいずれか１項に記載の撮影装置と、
該撮影装置から送信される画像を受信する基地局と、を備えることを特徴とする通信システム。
【請求項８】
請求項１〜４のいずれか１項に記載の撮影装置と、
該撮影装置から送信される画像を受信し且つ、撮影者の救助を求める救助信号を発信するか否かの問合せ信号を送信する基地局と、
該問合わせ信号を受信可能な携帯端末と、を備えることを特徴とする通信システム。
【請求項９】
請求項６又は８に記載の通信システムであって、
前記画像を受信した後に、前記携帯端末は、所定の解除信号が入力されない限り、救助信号を発信することを特徴とする通信システム。
【請求項１０】
請求項７又は８に記載の通信システムであって、
前記画像を受信した後に、前記基地局は、所定の解除信号を受信しない限り、救助信号を発信することを特徴とする通信システム。
【請求項１１】
請求項６〜１０のいずれか１項に記載の通信システムであって、
前記画像を送信した後に、記憶部から画像が消去されることを特徴とする通信システム。
【請求項１２】
請求項６〜１１のいずれか１項に記載の通信システムであって、
前記送信部は、前記加速度が、所定の閾値を所定時間又は所定回数超えた場合に画像を送信することを特徴とする通信システム。
【発明の詳細な説明】
【技術分野】
【０００１】
本発明は、撮影装置及びそれを備えた通信システムに関する。
【背景技術】
【０００２】
従来、受信部を備え、リモコンから送信された捜索信号を受信した場合、その場の画像を撮影し、撮影画像をリモコンに送信することのできるカメラ等の撮影装置が存在する。この撮影装置によると、その撮影装置をどこかに放置した場合に、捜索することが可能である（例えば、特許文献１参照）。
【特許文献１】特開２００１−４５３５８号公報
【発明の開示】
【発明が解決しようとする課題】
【０００３】
しかし、撮影装置を取りに行くことのできない場所に落としてしまう場合がある。その場合、撮影装置は、存在する場所が判明していても取りに行くことができないため、撮影済みの画像をあきらめねばならない。
【０００４】
本発明の課題は、撮影装置を取りに行くことができない場所に落とした場合であっても、それまでに撮影した画像を確保することのできる撮影装置及びそれを備えた通信システムを提供することである。
【課題を解決するための手段】
【０００５】
本発明は、以下のような解決部により前記課題を解決する。なお、理解を容易にするために、本発明の実施形態に対応する符号を付して説明するが、これに限定されるものではない。
【０００６】
請求項１記載の発明は、画像を撮影する撮影部（１０５ａ）と、撮影した画像を記憶する記憶部（１１０）と、を備える撮影装置（１１，２１，３１，４１，５１）であって、該撮影装置（１１，２１，３１，４１，５１）に加わる加速度を検知する加速度検知部（１１１）と、前記加速度を検知した場合に前記記憶部（１１０）に記憶された前記画像を外部に送信する送信部（１１２）とを備え、前記画像を外部に送信した後に、前記記憶部（１１０）から前記画像を消去すること、を特徴とする撮影装置（１１，２１，３１，４１，５１）である。
請求項２に記載の発明は、請求項１に記載の撮影装置（１１）であって、前記画像を送信した後に、撮影者の救助を求める救助信号を発信することを特徴とする撮影装置（１１）である。
請求項３に記載の発明は、請求項２に記載の撮影装置（１１）であって、前記画像を送信した後に、所定の解除信号を受信しない限り、前記救助信号を発信することを特徴とする撮影装置（１１）である。
請求項４に記載の発明は、画像を撮影する撮影部（１０５ａ）と、撮影した画像を記憶する記憶部（１１０）と、を備える撮影装置（１１，２１，３１，４１，５１）であって、該撮影装置（１１，２１，３１，４１，５１）に加わる加速度を検知する加速度検知部（１１１）と、前記加速度を検知した場合に前記記憶部（１１０）に記憶された前記画像を外部に送信する送信部（１１２）とを備え、前記画像を送信した後に、所定の解除信号を受信しない限り、撮影者の救助を求める救助信号を発信すること、を特徴とする撮影装置（１１，２１，３１，４１，５１）である。
請求項５に記載の発明は、請求項１〜４のいずれか１項に記載の撮影装置（１１，２１，３１，４１，５１）であって、前記送信部（１１２）は、前記加速度が、所定の閾値を所定時間又は所定回数超えた場合に前記画像を送信することを特徴とする撮影装置（１１，２１，３１，４１，５１）である。
請求項６に記載の発明は、請求項１〜４のいずれか１項に記載の撮影装置（３１，５１）と、該撮影装置（３１，５１）から送信される画像を受信可能な携帯端末（３３，５３）と、を備えることを特徴とする通信システム（３００，５００）である。
請求項７に記載の発明は、請求項１〜４のいずれか１項に記載の撮影装置（２１，４１）と、該撮影装置（２１，４１）から送信される画像を受信する基地局（２５，４５）と、を備えることを特徴とする通信システム（２００，４００）である。
請求項８に記載の発明は、請求項１〜４のいずれか１項に記載の撮影装置（４１）と、該撮影装置（４１）から送信される画像を受信し且つ、前記撮影者の救助を求める救助信号を発信するか否かの問合せ信号を送信する基地局（４５）と、該問合わせ信号を受信可能な携帯端末（４３）と、を備えることを特徴とする通信システム（４００）である。
請求項９に記載の発明は、請求項６又は８に記載の通信システム（４００，５００）であって、前記画像を受信した後に、前記携帯端末（４３，５３）は、所定の解除信号が入力されない限り、救助信号を発信することを特徴とする通信システム（４００，５００）である。
請求項１０に記載の発明は、請求項７又は８に記載の通信システム（４００，５００）であって、前記画像を受信した後に、前記基地局（４５，５５）は、所定の解除信号を受信しない限り、救助信号を発信することを特徴とする通信システム（４００，５００）である。
請求項１１に記載の発明は、請求項６〜１０のいずれか１項に記載の通信システム（２００，３００，４００，５００）であって、前記画像を送信した後に、記憶部（１１０）から画像が消去されることを特徴とする通信システム（２００，３００，４００，５００）である。
請求項１２に記載の発明は、請求項６〜１１のいずれか１項に記載の通信システム（２００，３００，４００，５００）であって、前記送信部（１１２）は、前記加速度が、所定の閾値を所定時間又は所定回数超えた場合に画像を送信することを特徴とする通信システム（２００，３００，４００，５００）である。
なお、符号を付して説明した構成は、適宜改良してもよく、また、少なくとも一部を他の構成物に代替してもよい。
【発明の効果】
【０００７】
本発明によれば、撮影装置を取りに行くことができない場所に落とした場合であっても、それまでに撮影した画像を確保することができる。
【発明を実施するための最良の形態】
【０００８】
［第１実施形態］
以下、図面等を参照して、本発明の第１実施形態について説明する。なお、以下の実施形態では、撮影装置としてスチルカメラについて説明するが、ビデオカメラ等の他の撮影装置であってもよい。また、携帯電話、ＰＤＡ（Ｐｅｒｓｏｎａｌ  Ｄａｔａ  Ａｓｓｉｓｔａｎｔｓ）等の携帯端末、双眼鏡、望遠鏡（単眼鏡）等であってもよい。
【０００９】
図１は本発明の第１実施形態にかかるカメラ１１のブロック図である。カメラ１１は、その内部において各種信号の通路となるバス１０１、バス１０１に接続されたＣＰＵ（ＣｅｎｔｒａｌＰｒｏｃｅｓｓｉｎｇＵｎｉｔ）１０２、ＲＯＭ（ＲｅａｄＯｎＩｙＭｅｍｏｒｙ）１０３、及びＲＡＭ（ＲａｎｄｏｍＡｃｃｅｓｓＭｅｍｏｒｙ）１０４を備える。更にカメラ１１は、画像を撮影する撮影ユニット１０５、外部記録用のドライブ１０６、外部より各種操作を行う操作部１０８、各種表示を行うモニタ１０９、画像を記録する記憶部１１０、カメラ１１に加わる加速度を検知する加速度センサ１１１、及び外部との通信を行う通信部１１２を備える。
【００１０】
ＣＰＵ１０２は、ＲＯＭ１０３に記憶されているプログラムからＲＡＭ１０４にロードしたプログラムに従って、カメラ１１の全体の動作をバス１０１を介して制御する。また、ＲＡＭ１０４には、ＣＰＵ１０２が各種の処理を実行する上において必要なデータ等が適宜記憶される。
【００１１】
撮影ユニット１０５は、ＣＣＤ（ＣｈａｒｇｅＣｏｕｐｌｅｄＤｅｖｉｃｅ）、或いはＣＭＯＳ（ＣｏｍｐＩｅｍｅｎｔａｒｙＭｅｔａｌＯｘｉｄｅＳｅｍｉｃｏｎｄｕｃｔｏｒ）等の撮像素子や撮影レンズ等を含む撮影部１０５ａ、及び撮影制御部１０５ｂを有する。撮影部１０５ａは、撮影者の指示に基づいて、被写体の画像を取り込み（撮影し）、撮影制御部１０５ｂは、撮影者による撮影部１０５ａの調節要求に応じて、撮影部１０５ａのズーム率、取り込む光量等を制御する。
【００１２】
操作部１０８は、撮影ボタンや調整レバー等により構成されている。撮影者は操作部１０８を操作して、撮影や撮影部１０５ａの調整等の指示を入力し、カメラ１１を操作する。なお、操作部１０８は、ボタン及びレバー以外にも、例えば、キーボード又はタッチパッド等のような、入力装置であって上記の操作ができるものであれば何でもよい。
【００１３】
モニタ１０９は、ＣＲＴ（ＣａｔｈｏｄｅＲａｙＴｕｂｅ）やＬＣＤ（ＬｉｑｕｉｄＣｒｙｓｔａｌＤｉｓｐｌａｙ）等であり、撮影ユニット１０５の撮影部１０５ａにより撮影された撮影画像等を表示する。また、操作の案内、電池残量、又は撮影枚数等の各種情報も表示することができる。
【００１４】
記憶部１１０は、撮影部１０５ａで撮影した画像データを記憶する。加速度センサ１１１は、カメラ１１に加わる加速度を測定する。通信部１１２は、ＣＰＵ１０２に制御され、アンテナ１１２ａを備え、そのアンテナ１１２ａを介して後述する画像保存装置と無線通信を行う。
【００１５】
バス１０１には、ドライブ１０６が接続され、磁気テープ、磁気ディスク、光ディスク（ＤＶＤ−ＲＡＭ（ＤｉｇｉｔａｌＶｅｒｓａｔｉｌｅＤｉｓｋ）を含む）、光磁気ディスク、又は、ＣＦ（ＣｏｍｐａｃｔＦＩａｓｈ）、ＳＤ（ＳｅｃｕｒｅＤｉｇｉｔａｌＭｅｍｏｒｙＣａｒｄ）或いはＭＳ（ＭｅｍｏｒｙＳｔｉｃｋ）のような半導体メモリ等の記憶媒体１０７が装着される。記憶部１１０に記憶された撮影部１０５ａで撮影した画像データは、ＣＰＵ１０２に制御され、ドライブ１０６を介して記憶媒体１０７に記録される。
【００１６】
本実施形態で撮影者は、カメラ１１の撮影画像を保存するための画像保存装置１３を所持している。図２は画像保存装置１３の内部の構成例を示すブロック図である。画像保存装置１３は、その内部において各種信号の通路となるバス１２１、ＣＰＵ１２２、ＲＯＭ１２３及びＲＡＭ１２４を備える。更に画像保存装置１３は、外部記録用のドライブ１２６、外部より各種操作を行う操作部１２８、各種表示を行うモニタ１２９、画像を記憶する記憶部１３０、及び外部との通信を行う通信部１３２を備える。
【００１７】
ＣＰＵ１２２は、ＲＯＭ１２３に記憶されているプログラムからＲＡＭ１２４にロードしたプログラムに従って画像保存装置１３の全体の動作を、バス１２１を介して制御する。ＲＡＭ１２４にはまた、ＣＰＵ１２２が各種の処理を実行する上において必要なデータ等が適宜記憶される。
【００１８】
ドライブ１２６には、磁気テープ、磁気ディスク、光ディスク、光磁気ディスク、又は、ＣＦ、ＳＤ或いはＭＳのような半導体メモリ等の記憶媒体１２７が装着される。カメラ１１に挿入された記憶媒体１０７等をカメラ１１から取り外して画像保存装置１３のドライブ１２６に差し込み、画像保存装置１３の記憶媒体１２７に画像データを保存することができるようになっている。
【００１９】
操作部１２８は、ボタンやレバー等により構成されている。撮影者２は操作部１２８を操作して、指示を入力し、画像保存装置１３を操作する。なお、操作部１２８は、ボタン及びレバー以外にも、例えば、キーボード又はタッチパッド等のような、入力装置であって上記の操作ができるものであれば何でもよい。
【００２０】
モニタ１２９は、ＣＲＴやＬＣＤ等であり、ドライブ１２６内の記憶媒体１２７、記憶部１３０に記憶された画像等を表示する。また、操作の案内、電池残量、又は撮影枚数等の各種情報が表示することができる。通信部１３２は、ＣＰＵ１２２に制御され、アンテナ１３２ａを介してカメラ１１と無線通信を行う。記憶部１３０は、通信部１３２により受信された画像データを記憶する。
【００２１】
通常、カメラ１１と画像保存装置１３とを携帯して撮影を行っている場合、撮影者２はカメラ１１に挿入されている記憶媒体１０７をカメラ１１から取り出し、画像保存装置１３に差し込み、その画像を画像保存装置１３に保存することができる。しかし、撮影者が例えば柵を越えた場所に崖が存在するような場所に行き、カメラ１１を誤って柵を越えて崖側に落下してしまうことが考えられる。図３は、そのような状況を示した図である。図示するように、画像保存装置１３は撮影者１２の手元にあるが、カメラ１１は柵１４を越えて崖に落下している。
【００２２】
カメラ１１が、図３に示すように、危険地域に落下する場合、地面に何度もぶつかり、その度に所定の閾値を超えるような大きな加速度が発生する。カメラ１１が検知する加速度は、持続的な衝撃の加速度に限らず、瞬間的な衝撃の加速度である場合もある。
【００２３】
図４は、カメラ１１が落下する際の、カメラ１１における動作を示すフローチャートである。カメラ１１の加速度センサ１１１が加速度を検知し、その加速度がＲＡＭ１０４に記憶されている閾値を超えた場合に、カメラ１１はステップＳ１０１にてＹＥＳに進み、カメラ１１がそれ自体、撮影者１２が簡単に取りにいけないような、例えば危険領域に落下したと判断する。このような場合カメラ１１は、ステップＳ１０３にて、記憶媒体１０７に記憶している画像データを通信部１１２からアンテナ１１２ａを介して、画像保存装置１３に送信する。なお、この送信に続いてカメラ１１は、例えばモニタ１０９を通じて解除信号が入力されない限り、外部に救助を求める信号を送信するようにすることもできる。
【００２４】
図５は、画像保存装置１３の動作を示すフローチャートである。カメラ１１からステップ１０３にて画像データが送信されると、画像保存装置１３は、ステップＳ２０１にて画像が送信された（ＹＥＳ）と判断し、ステップＳ２０２へ進む。ステップＳ２０２で画像保存装置１３は、画像データを記憶部１３０に記録する。画像保存装置１３は、記憶部１３０に記録した画像データを、状況に応じて記憶媒体１２７に記録する。画像保存装置１３は、ステップ２０２で画像データを記録し終わると、ステップＳ２０３に進み、カメラ１１に画像データの記録が完了したことを通信部１３２を介してカメラ１１に通知する。
【００２５】
図４に戻りカメラ１１は、Ｓ１０４で記録完了通知を受信すると、ステップ１０５に示すように、記録済みの画像を記憶部１１０及び記憶媒体１０７から消去する。
【００２６】
以上、第1実施形態によると以下の効果を有する。
（１）カメラ１１が危険領域に落下し、撮影者１２がカメラ１１を取りに行くことができない場合であっても、カメラ１１内の画像データを画像保存装置１３内に確保することが可能になる。
（２）撮影者１２は、撮影画像を確保するために危険を冒してカメラ１１を取りに行く必要がない。
（３）画像が画像保存装置１３に送信された後、カメラ１１から画像が消去されるので、撮影者１２とカメラ１１が離れた状況下で第三者がカメラ１１を手にする状況が生じても、第三者はカメラ１１内の画像を見ることができない。したがって撮影者１２のプライバシーが守られる。
【００２７】
[第２実施形態]
本発明の第２実施形態の通信システム２００について説明する。図６は通信システム２００を示す図である。通信システム２００は、カメラ２１と、基地局２５を含む。基地局２５は、アンテナ２５ａを備え、ネットワーク２６に接続されている。更にネットワーク２６には端末装置２７が接続されている。なお、基地局２５とは、複数のカメラより通信で画像を送信可能な拠点をいい、電話の基地局に限定されず、通信社のＬＡＮネットワーク等であってもよい。カメラ２１の構成は第１実施形態のカメラ１１と同様であるので説明を省略するが、カメラ２１が基地局２５に画像を送信可能となっている点がカメラ１１と異なる。
【００２８】
図６に示すように、第１実施形態と同様に撮影者２２が、例えば柵２４を越えた場所に崖が存在するような場所に行き、カメラ２１を誤って柵２４を越えて崖側に落下した場合における、通信システム２００の動作について説明する。カメラ２１は、崖等に落下した場合、第１実施形態と同様に加速度を検知する。そして加速度を検知すると、基地局２５へ画像データを送信する。また、基地局２５は、画像データを受信した後、カメラ２１に画像データを受信したことを通知し、カメラ２１は、通知を受け取った後、記録済みの画像を消去する。撮影者２２は、後日、ネットワーク２６を介して端末装置２７にて画像データを得ることができる。
【００２９】
以上、第２実施形態によると、第１実施形態の効果に加え、撮影者２２が画像保存装置を所持していない場合であっても、カメラ２１が危険領域に落下した場合、カメラ２１内の画像データを確保することができる。
【００３０】
[第３実施形態]
本発明の第３実施形態の通信システム３００について説明する。図７は通信システム３００を示す図である。通信システム３００は、カメラ３１と、携帯電話等の携帯端末３３を含む。カメラ３１の構成は第１実施形態のカメラ１１と同様であるので説明を省略するが、カメラ３１が通信部のアンテナより携帯端末３３に画像を送信可能な点が第１実施形態のカメラ１１と異なる。
【００３１】
図８は、図７の携帯端末３３の内部の構成例を示すブロック図である。携帯端末３３の構成は、第１実施形態の画像保存装置１３と略同様であるが、ドライブを有していない点が異なる。
【００３２】
図７に戻り、第１実施形態と同様に、撮影者３２が例えば柵３４を越えた場所に崖が存在するような場所に行き、カメラ３１を誤って柵３４を越えて崖側に落下した場合の通信システム３００の動作について説明する。カメラ３１は、崖等に落下した場合、加速度を検知する。カメラ３１は加速度を検知すると、携帯端末３３へ画像データを送信する。撮影者３２は、カメラ３１を取りに行くことはできないが、携帯端末３３において画像データを得ることが可能であり、カメラ２１が危険領域に落下した場合であっても、カメラ３１内の画像データを確保することができる。
【００３３】
携帯端末３３で画像データを受信した後、携帯端末３３よりカメラ３１に画像データを受信したことを通知し、カメラ３１では、信号を受け取った後、記録済みの画像を消去する。
【００３４】
以上、第３実施形態によれば、画像保存装置１３を有していない場合であっても、携帯端末３３を有していれば携帯端末３３によりカメラ３１の撮影画像を確保することができる。
【００３５】
[第４実施形態]
本発明の第４実施形態の通信システム４００について説明する。図９は通信システム４００を示す図である。通信システム４００は、カメラ４１と、携帯電話等の携帯端末４３と、基地局４５を含む。基地局４５は、第２実施形態と同様に、アンテナ４５ａを備え、ネットワーク４６に接続されている。更にネットワーク４６には端末装置４７が接続されている。なお、カメラ４１の構成は第１実施形態のカメラ１１と同様であるので説明を省略するが、カメラ４１は基地局４５に画像を送信可能である。また、携帯端末４３の構成は第３実施形態の携帯端末３３と同様であるので説明を省略する。
【００３６】
図１０は、基地局４５の動作を示すフローチャートである。カメラ４１において、カメラ４１内の加速度センサが加速度を検知すると、撮影済み画像データが基地局４５に送信される。基地局４５は、ステップＳ４２１にて画像データが送られてきたか判断し、送られてきた場合、ステップＳ４２２にて画像データを記録する。記録が完了したならば、基地局４５は、ステップＳ４２３にて携帯端末４３へ記録完了のメッセージとともに、救援が必要かどうかのメッセージを送る。携帯端末４３では、救援が必要かどうかのメッセージが示され、撮影者４２が救援が必要か否かを携帯端末４３に入力する。
【００３７】
携帯端末４３より救援が不要（ＮＯ）であるというメッセージが送信されると、基地局４５の動作は完了する。この、救援が不要（ＮＯ）の場合とは、図９に示すような、撮影者４２が、例えば柵４４を越えた場所に崖が存在するような場所に行き、カメラ４１のみを誤って柵４４を越えて崖側に落下してしまった場合が考えられる。この場合、撮影者４２は、携帯端末４３で受け取った記録完了のメッセージにて画像データが確実に保存されたことを知ることができる。また、撮影者４２は、後日、ネットワーク４６を介して端末装置４７にて画像データを得ることが可能になっており、撮影者４２は安心して続きの旅を続けられる。
【００３８】
携帯端末４３より救援が必要（ＹＥＳ）であるというメッセージが送信される場合とは、例えば、図１１に示すように、カメラ４１のみならず撮影者も危険領域に落下してしまっている場合が考えられる。この場合、ステップＳ４２５にて基地局４５は救援要請を行う。なお、基地局４５での撮影者４２への救援が必要かどうかのメッセージの送信は、ステップ４２２の画像を記録し始めた段階で並列して進めてもよい。
【００３９】
また、状況によっては、撮影者２２が意識を失っていることによりステップＳ４２４での可否の入力が困難な場合がある。このような場合を考慮し、基地局４５が救援が必要かどうかのメッセージを送信してから、所定の時間を経過しても救援が必要か否かが携帯端末４３から送信されてこない場合、基地局４５が救援要請を行うようにしてもよい。
【００４０】
以上、第４実施形態によると、上記の各実施形態の効果に加え、以下の効果を有する。
（１）携帯端末４３よって撮影者４２の安否が確認でき、撮影者の安全が確保できる。
（２）携帯端末４３よる撮影者４２の救援要請の問い合わせの結果、救援不要の連絡をすることができるため、無駄な救助が行われることがない。
[第５実施形態]
本発明の第５実施形態の通信システム５００について説明する。図１２は通信システム５００を示す図である。通信システム５００は、第４実施形態と同様の構成であるが、カメラ５１が通信部のアンテナより携帯端末５３に画像を送信し、携帯端末５３がカメラ５１から送信された画像データを基地局５５へ転送する点が異なる。
【００４１】
図１２に示すように、撮影者が例えば柵を越えた場所に崖が存在するような場所に行き、カメラ５１を誤って柵を越えて崖側に落下してしまった場合、カメラ５１は、加速度を検知し、携帯端末５３に画像データを送信する。
【００４２】
携帯端末５３は画像データを受信すると、基地局５５に画像データを受信した旨のメッセージを送信する。基地局５５は携帯端末５３に救援が必要かどうかのメッセージを送る。携帯端末５３では、救援が必要かどうかのメッセージが示され、撮影者５２は救援が必要か否かを携帯端末５３に入力する。
【００４３】
救援不要のメッセージが基地局５５に送信されると基地局５５の動作は完了する。撮影者５２は、携帯端末５３で受け取った記録完了のメッセージにて画像データが確実に保存されたことを知ることができる。また、後日、ネットワーク５６を介して端末装置５７にて画像データを得ることができようになっており、撮影者５２は安心して続きの旅を続けられる。撮影者５２は、このようにカメラ５１が危険領域に落下した場合であってもカメラ５１内の画像データを確保することができる。
【００４４】
図１３に示すように、カメラ５１のみならず撮影者も危険領域に落下してしまっている場合、携帯端末５３より救援が必要（ＹＥＳ）であるというメッセージが送信される。この場合、基地局５５は救援要請を行う。なお、撮影者５２が意識を失っていることにより可否の入力が困難なことが考えられる。このため、本実施形態においても第４実施形態と同様に、基地局５５から救援が必要かどうかのメッセージを送信してから所定の時間を経過しても可否が携帯端末５３から何らかのメッセージが送信されてこない場合、基地局５５が救援要請を行うようにしてもよい。
【００４５】
以上、本実施形態によると、第４実施形態の効果に加え、カメラ５１は基地局５５と直接通信する必要がないので、カメラ５１の通信部は近距離に対応できるもので対応でき、安価に作製することができる。
【００４６】
（変形形態）
上述の実施形態は、以下に示すような種々の変形や変更が可能であり、それらも本発明の範囲内である。
（１）上記実施形態においてカメラは、記録完了通知を受信した後、記録済みの画像を消去するようにした。しかし本発明はこれに限定されず、画像データのプライバシーを優先させたい場合は、画像送信後、直ちに画像消去の動作を行うようにすることもできる。
【００４７】
（２）画像を記憶するための記憶媒体として、カメラから容易に取り外すことのできる記憶媒体と、容易に取り外すことのできない記憶媒体(例えば、撮影装置のフレームに固定された記憶媒体）とを含んでもよい。容易に取り外すことのできない記憶媒体にも画像を記録することにより、異常時に容易に取り外すことのできる記憶媒体が取り外された場合でも、容易に取り外すことのできない記憶媒体に残された画像を外部に送信することができる。
【００４８】
（３）カメラは、容易に取り外すことのできない電源(例えば、撮影装置のフレームに固定された電源）を含んでいてもよい。異常時において、撮影者以外の第三者により、容易に取り外すことのできない電源が取り外された場合であっても、容易に取り外すことのできない電源により、画像や救助信号を外部に送信することができるからである。
【００４９】
（４）カメラは、救助信号を発信するか否かを判断する判断部を有していてもよい。この判断部は、加速度センサが加速度を検知したとき、例えば、カメラのモニタ、音声出力装置等を用いて撮影者に対して異常がないか確認する。そして判断部は、一定時間を経過するまでに、撮影者から異常がない旨の回答があれば画像や救助信号を外部に送信させないが、撮影者から回答がない場合又は異常がある旨の回答があれば画像や救助信号を外部に送信させる。例えば撮影者による異常がない旨の回答は、暗号化されていてもよい。この場合、撮影者以外の第三者は異常がない旨の回答をすることができないので、撮影者以外の第三者により画像や救助信号の送信が妨げられることがない。
【００５０】
（５）カメラは、画像や救助信号を外部に送信させないようにする送信停止モードを設定可能なスイッチを有していてもよい。このスイッチを用いて送信停止モードを設定すれば、例えば、揺れの激しい車両等により大きな加速度が検知された場合であっても、誤検出によって画像や救助信号を送信することがなくなる。
（６）本実施形態のカメラは、カメラのグリップ部に設けられたタッチセンサを有し、タッチセンサにより撮影者がカメラを保持しているか否かを識別し、この識別結果を救助が必要かどうかの判別に付加してもよい。
例えば、本実施形態のカメラは、撮影者がカメラを保持していると識別された場合、カメラで検出された加速度と同じ大きさの加速度が撮影者に加わっていると推測できるので、カメラで検出された加速度が所定値よりも小さくても援助を要求する。一方、撮影者がカメラを保持していないと識別された場合、撮影者にはカメラで検出された加速度が加わっていないと推測できるので、カメラで検出された加速度が所定値よりも大きくなければ救助を要求しない。
このように、本実施形態のカメラは、加速度がカメラにのみに加わっているか、加速度がカメラ及び撮影者に加わっているかによって救助要求の要否を異ならせることにより、より肌理細やかな判別が可能となる。
【図面の簡単な説明】
【００５１】
【図１】本発明の第１実施形態にかかるカメラのブロック図である。
【図２】画像保存装置の内部の構成例を示すブロック図である。
【図３】カメラを誤って柵を越えて崖側に落下した状況を示した図である。
【図４】カメラが落下する際の、カメラにおける動作を示すフローチャートである。
【図５】画像保存装置の動作を示すフローチャートである。
【図６】本発明の第２実施形態にかかる通信システムを示す図である。
【図７】本発明の第３実施形態にかかる通信システムを示す図である。
【図８】図７の携帯端末の内部の構成例を示すブロック図である。
【図９】本発明の第４実施形態にかかる通信システムを示す図である。
【図１０】基地局の動作を示すフローチャートである。
【図１１】第４実施形態の通信システムにおいて撮影者も危険領域に落下した場合を示す図である。
【図１２】本発明の第５実施形態にかかる通信システムを示す図である。
【図１３】第５実施形態の通信システムにおいて撮影者も危険領域に落下した場合を示す図である。
【符号の説明】
【００５２】
１１，２１，３１，４１，５１：カメラ、２５，４５，５５：基地局、３５、３３，４３，５３：携帯端末、１０５ａ：撮影部、１１０：記憶部、１１１：加速度センサ、１１２：通信部、２００，３００，４００，５００：通信システム
【図１】
0005024005.tif 000002
【図２】
0005024005.tif 000003
【図３】
0005024005.tif 000004
【図４】
0005024005.tif 000005
【図５】
0005024005.tif 000006
【図６】
0005024005.tif 000007
【図７】
0005024005.tif 000008
【図８】
0005024005.tif 000009
【図９】
0005024005.tif 000010
【図１０】
0005024005.tif 000011
【図１１】
0005024005.tif 000012
【図１２】
0005024005.tif 000013
【図１３】
0005024005.tif 000014